(57)【要約】【課題】ロック手段による保持を解除したときにリッドを第一回動位置まで強制的に回動させ且つ静止させる機構の動作を最適化する。【解決手段】リッド２の回動前位置において付勢体４の当接部４１が本体１の一部１５に当接してこの付勢体４にリッド２を回動させる付勢力が蓄えられるようになっている。この付勢体４によりロック手段によるリッド２の保持の解除がなされたときにリッド２が第一回動位置まで回動され、且つ、この第一回動位置を超えるリッド２の回動により付勢体４の前記当接が解かれるようになっている。【選択図】図５
2013189774.tif 000002
【特許請求の範囲】
【請求項１】
本体に回動可能に組み合わされてこの本体の開口を閉塞した回動前位置から回動されてこの開口を開放するリッドと、
このリッドへの固定部と前記本体の一部への当接部とを備えた付勢体と、
前記リッドが回動前位置にある状態を解除可能に保持するロック手段とを備えており、
前記回動前位置において前記付勢体の当接部が本体の一部に当接してこの付勢体にリッドを回動させる付勢力が蓄えられるようになっていると共に、この付勢体により前記ロック手段による前記保持の解除がなされたときにリッドが第一回動位置まで回動され、且つ、この第一回動位置を超えるリッドの回動により前記付勢体の前記当接が解かれるようになっていることを特徴とするリッドの動作機構。
【請求項２】
付勢体は、一方の腕部をリッドに固定させ、かつ、他方の腕部を当接部としたねじりコイルバネであることを特徴とする請求項１に記載のリッドの動作機構。
【請求項３】
リッドに、バネの一方の腕部の固定部と、バネの他方の腕部を通すスリットとを備えた取り付け部が備えられており、リッドが第一回動位置にあるときこのスリットの一端にバネの他方の腕部が当接されるようになっていることを特徴とする請求項２に記載のリッドの動作機構。
【請求項４】
一方の腕部をリッドに枢支させ、他方の腕部を本体に枢支させ、かつ、コイル部を両者から自由としたねじりコイルバネを、リッドが前記第一回動位置にあるときはこのリッドを回動前位置に復動させる向きの付勢力をこのリッドに作用させ、かつ、リッドが前記第一回動位置を超える所定の第二回動位置に達したときはこのリッドを往動させる向きの付勢力をこのリッドに作用させるように備えさせていると共に、
前記第一回動位置において、このバネ及びリッドの自重により生じるリッドを復動させる力と、付勢体より生じるリッドを往動させる力とが均衡し、
かつ、前記第二回動位置において、前記バネより生じるリッドを往動させる力と、リッドの自重より生じるリッドを復動させる力とが均衡するようにしてあることを特徴とする請求項１〜請求項４のいずれか１項に記載のリッドの動作機構。
【請求項５】
本体に、リッドが第一回動位置を超える所定の第二回動位置に達したときに、リッドの被掛合部に掛合される掛合部が形成されていることを特徴とする請求項１に記載のリッドの動作機構。
【請求項６】
本体に、リッドの被掛合部に対し、リッドが第一回動位置と第二回動位置との間の中間回動位置にあるときに掛合される追加掛合部が形成されていることを特徴とする請求項５に記載のリッドの動作機構。
【発明の詳細な説明】
【技術分野】
【０００１】
この発明は、開口を備えた本体に回動可能に組み合わされて回動前位置においてこの開口を閉塞するリッドを、ロック手段によるこの閉塞状態の保持を解除したときに、前記開口を一定の範囲で開放した第一回動位置まで強制的に回動させると共にこの位置で静止させるように動作させる機構に関する。
【背景技術】
【０００２】
インストルメントパネルなどの内部に設けられるボックスの開口部を開閉するボックスドア（リッド）を、一端をボックス側に枢着させると共に他端をボックスドア側に枢着させたＵ字形のヒンジレバーを介してボックス側に組み合わせると共に、ボックスドアの下端部を閉鎖位置にロックするロック部材のこのロックを解除したときに前記ヒンジレバーに付勢力を作用されるバネによりボックスドアを跳ね上げて前記開口部を開放させるようにしたものがある。（特許文献１）しかるに、かかる構造にあっては、ボックスドア側には常時一定の前記バネの付勢力が作用される。このため、跳ね上げられたボックスドアの静止位置を定め難く、また、ボックスドアの開放時にはかかる静止位置を超えて必要以上にボックスドアを回動させてしまい易く、これに起因してボックスドア側とボックス側との接触により動作音を生じさせ易かった。
【先行技術文献】
【特許文献】
【０００３】
【特許文献１】実開平６−８７０９０号公報
【発明の概要】
【発明が解決しようとする課題】
【０００４】
この発明が解決しようとする主たる問題点は、この種のリッドを、ロック手段によるこの閉塞状態の保持を解除したときに、本体の開口を一定の範囲で開放した第一回動位置まで強制的に回動させると共にこの位置で静止させるように動作させる機構におけるかかる動作を、簡素な構造をもって最適化する点にある。
【課題を解決するための手段】
【０００５】
前記目的を達成するために、この発明にあっては、リッドの動作機構を、
本体に回動可能に組み合わされてこの本体の開口を閉塞した回動前位置から回動されてこの開口を開放するリッドと、
このリッドへの固定部と前記本体の一部への当接部とを備えた付勢体と、
前記リッドが回動前位置にある状態を解除可能に保持するロック手段とを備えており、
前記回動前位置において前記付勢体の当接部が本体の一部に当接してこの付勢体にリッドを回動させる付勢力が蓄えられるようになっていると共に、この付勢体により前記ロック手段による前記保持の解除がなされたときにリッドが第一回動位置まで回動され、且つ、この第一回動位置を超えるリッドの回動により前記付勢体の前記当接が解かれるようになっているものとした。
【０００６】
かかる構成によれば、リッドが回動前位置にある状態から、ロック手段による前記保持を解除したときに、前記付勢体によってリッドを前記第一回動位置まで強制的に回動させることができる。かかる付勢体の当接部と本体の一部との当接は前記第一回動位置を超えるリッドの回動により解かれることから、第一に外力を作用させない限りこの第一回動位置にリッドがある状態は維持され、第二にこの第一回動位置を超えるリッドの往動には付勢体は関与しない。
【０００７】
前記付勢体を、一方の腕部をリッドに固定させ、かつ、他方の腕部を当接部としたねじりコイルバネとすることが、この発明の好ましい態様の一つである。この場合、さらに、前記リッドに、バネの一方の腕部の固定部と、バネの他方の腕部を通すスリットとを備えた取り付け部を備えさせ、リッドが第一回動位置にあるときこのスリットの一端にバネの他方の腕部が当接されるようにしておくこともある。このようにした場合、前記のようにリッドが前記第一回動位置にあるときこのスリットの一端に前記付勢体としてのバネの他方の腕部が当接され、この第一回動位置を超えてリッドが往動されても、この付勢体としてのバネの一方の腕部と他方の腕部との間の距離が変わらないようにすることができる。これにより、第一回動位置を超えてリッドが往動されたときにはこれに伴って前記付勢体としてのバネの他方の腕部、すなわち、前記当接部を、前記本体の一部との当接を解くように移動させることができる。
【０００８】
かかる動作機構に、さらに、一方の腕部をリッドに枢支させ、他方の腕部を本体に枢支させ、かつ、コイル部を両者から自由としたねじりコイルバネを、リッドが前記第一回動位置にあるときはこのリッドを回動前位置に復動させる向きの付勢力をこのリッドに作用させ、かつ、リッドが前記第一回動位置を超える所定の第二回動位置に達したときはこのリッドを往動させる向きの付勢力をこのリッドに作用させるように備えさせると共に、
前記第一回動位置において、このバネ及びリッドの自重により生じるリッドを復動させる力と、付勢体より生じるリッドを往動させる力とが均衡し、
かつ、前記第二回動位置において、前記バネより生じるリッドを往動させる力と、リッドの自重より生じるリッドを復動させる力とが均衡するようにしておくこともある。
【０００９】
このようにした場合、付勢体とかかるねじりコイルバネの付勢力の設定調整によって、回動前位置から第一回動位置まで往動させたリッドをこの第一回動位置で静止させることができると共に、この第一回動位置で静止状態にあるリッドに外力を作用させてリッドを第二回動位置まで往動させることができ、さらに、この第二回動位置まで往動されたリッドをこの第二回動位置においても静止させることができる。
【００１０】
前記本体に、リッドが第一回動位置を超える所定の第二回動位置に達したときに、リッドの被掛合部に掛合される掛合部を形成させておくこともある。このようにした場合にも、リッドを第一回動位置及び第二回動位置において前記のように静止させることができる。この場合さらに、かかる本体に、リッドの被掛合部に対し、リッドが第一回動位置と第二回動位置との間の中間回動位置にあるときに掛合される追加掛合部を形成させるようにすれば、リッドをかかる中間回動位置においてもリッドを静止させることが可能となる。
【発明の効果】
【００１１】
この発明によれば、リッドを、ロック手段によるこの閉塞状態の保持を解除したときに、本体の開口を一定の範囲で開放した第一回動位置まで強制的に回動させると共に、この位置で静止させるように動作させる機構における、かかるリッドの動作を、簡素な構造をもって最適化することができる。
【図面の簡単な説明】
【００１２】
【図１】図１は実施の形態にかかる動作機構の適用された収納装置の分解斜視図である。
【図２】図２は前記動作機構を構成する軸構成部材の斜視図である。
【図３】図３は前記動作機構を構成する軸構成部材の斜視図であり、図２と異なる向きからかかる軸構成部材を見て示している。
【図４】図４は前記収納装置の斜視図であり、リッドは回動前位置にある。
【図５】図５は前記収納装置の側面図であり、リッドは回動前位置にある。
【図６】図６は前記収納装置の側面図であり、リッドは第一回動位置にある。
【図７】図７は前記収納装置の側面図であり、リッドは第一回動位置と第二回動位置との間の中間回動位置にある。
【図８】図８は前記収納装置の側面図であり、リッドは第二回動位置にある。
【図９】図９は動作機構を構成する軸構成部材及び付勢体のリッドの回動に伴う位置の変化を理解しやすいように、これらと付勢体の当接部が当接される本体の一部のみを表して示した側面構成図であり、ａ図はリッドが回動前位置にあるときの様子を、ｂ図はリッドが第一回動位置にあるときの様子を、ｃ図はリッドが中間回動位置にあるときの様子を、それぞれ示している。
【図１０】図１０は図１〜図９に示される例と構成の一部を異ならせる収納装置の側面図であり、リッドは回動前位置にある。
【図１１】図１１は図１０の収納装置の側面図であり、リッドは第一回動位置にある。
【図１２】図１２は図１０の収納装置の側面図であり、リッドは第二回動位置にある。
【発明を実施するための形態】
【００１３】
以下、図１〜図１２に基づいて、この発明の典型的な実施の形態について、説明する。この実施の形態にかかる動作機構は、開口１０を備えた本体１に回動可能に組み合わされて回動前位置においてこの開口１０を閉塞するリッド２を、ロック手段によるこの閉塞状態の保持を解除したときに、前記開口１０を一定の範囲で開放した第一回動位置までこのリッド２を強制的に回動させると共に、リッド２に外力を作用させない限りこの第一回動位置にリッド２がある状態が維持されるように、かかるリッド２を動作させるものである。
【００１４】
典型的には、かかる動作機構は、前記本体１としての各種の収納体における前記開口１０としての出し入れ口を回動前位置において閉塞するリッド２を前記のように動作させるために、かかる本体１とリッド２とを備えた収納装置に適用される。
【００１５】
図示の例では、かかる動作機構を、自動車のインストルメントパネル（図示は省略する。）に組み込まれる収納装置に適用した例を示している。図示の例では、前記リッド２は前記回動前位置においてインストルメントパネルの意匠面の一部を構成し、前記第一回動位置において前方にややリッド下部２０を移動させてこのリッド下部２０に指をかけることができるように本体１の開口１０を開放するようになっている。より具体的には、図示の例では、回動前位置にあるリッド２のリッド下部２０に備えられた前記ロック手段の一部を構成するボタン２１を押圧するとこのロック手段の一部を構成する図示しないリッド２側の掛合部と本体１側の被掛合部との掛合が解除されてこのロック手段による前記保持が解除され、リッド２は第一回動位置まで強制的に回動される。（図５から図６／以下、この方向へのリッド２の回動を往動と称する。）リッド２は第一回動位置にある状態からリッド下部２０に指をかけてこの下端を上方に持ち上げるようにすることで、収納体の開口１０を最大に開放させた第二回動位置（図８）まで回動できるようになっている。図示の例では、リッド２に外力を作用させない限りこの第二回動位置にリッド２がある状態も維持されるようになっている。第二回動位置にあるリッド２にこれを復動させる力を作用させると、リッド２は第一回動位置を経て回動前位置に復帰すると共に、前記ロック手段の一部を構成する前記掛合部と被掛合部とが掛合され、再びリッド２が回動前位置にある状態が維持されるようになっている。
【００１６】
この実施の形態にあっては、リッド２は、リッド上部２２側において本体１に回動可能に組み合わされてこの本体１の開口１０を閉塞した前記回動前位置からリッド下部２０を上方に移動させる向きに回動、すなわち、前記往動されてこの開口１０を開放するようになっている。
【００１７】
図示の例では、リッド２は、正面視の状態においては、上辺と、下辺と、左右側辺との四辺を備えると共に、側面視の状態においては、回動前位置において本体１の開口１０に向き合う側を湾曲内側とするように湾曲された、盤状を呈するように構成されている。図示の例では、かかるリッド２は、図中符号２３で示されるアウターパネルと符号２４で示されるインナーパネルとを組み合わせて構成されている。
【００１８】
一方、図示の例では、本体１は、天板１１と底板１２と左右側板１３、１３とにより前記開口１０を形成している。天板１１の前端は底板１２及び側板１３の前端より後方に位置されており、本体１の開口１０は、側板１３の前方とこの側板１３の上方であって天板１１の前端よりも前方に位置される箇所との範囲に亘って形成されている。
【００１９】
リッド上部２２、図示の例では、インナーパネル２４の上部には、インナーパネル２４の内部に凹所２４ａを形成して後方に突き出す張り出し部２４ｂが形成されている。張り出し部２４ｂの左端とリッド２の左側の側辺、及び、張り出し部２４ｂの右端とリッド２の右側の側辺にはそれぞれ、間隔が形成されている。かかる張り出し部２４ｂの左端と右端との間の距離は、本体１の左右側板１３、１３の内面間の距離と略一致している。それと共に、かかる張り出し部２４ｂの右端と左端とにはそれぞれ、貫通孔２５が形成されている。
【００２０】
一方、本体１の左右側板１３、１３の上部にはそれぞれ、貫通孔１４が形成されている。図示の例では、本体１の貫通孔１４を通じてリッド２の貫通孔２５に挿通される脚部３１を備えた軸構成部材３によって、本体１の左右においてそれぞれリッド２が前記のように回動可能に組み合わされている。軸構成部材３は、頭部３０と脚部３１とを有している。脚部３１は筒状をなし、その軸方向に直交する向きの断面外郭形状をその基部では円形とする一方で、基部３１ａから先では非円形（図示の例ではＤ字形）としている。これに対し、本体１の貫通孔１４はこの脚部３１を回転可能に納める円形の孔であり、一方、リッド２の貫通孔２５は脚部３１の前記断面形状と相補状をなす非円形の孔となっている。図示の例では、軸構成部材３の脚部３１には弾性掛合部３１ｂが形成されており、本体１の貫通孔１４とリッド２の貫通孔２５とを整合させた状態から本体１の側板１３の外側より前記弾性掛合部３１ｂを中空の脚部３１の内方に撓み込ませながらこれら貫通孔１４、２５に前記脚部３１を通しきるとこの脚部３１におけるリッド２の貫通孔２５を抜け出した箇所、図示の例ではこの脚部３１における前記インナーパネル２４の凹所２４ａ内に入り込んだ箇所において、前記弾性掛合部３１ｂが弾性復帰してかかる貫通孔２５の縁部に引っかかり、かかる軸構成部材３を介して本体１とリッド２とが組み合わされるようになっている。リッド２の貫通孔２５及び軸構成部材３の脚部３１は前記非円形の形状を持っていることから、リッド２の貫通孔２５に通された脚部３１はリッド２と一体化される一方で、脚部３１の基部３１ａは本体１の貫通孔１４内に位置されるようになっている。したがって、リッド２は、本体１の貫通孔１４を軸孔としてこれに軸構成部材３の脚部３１を軸支させて前記回動をなすようになっている。
【００２１】
図示の例では、前記軸構成部材３の頭部３０は、幅と長さを備えた板体の一面に、この板体の縁部に沿った立ち上がり周壁３０ａを形成させてなる。脚部３１は頭部３０の他面において、この頭部３０の一端３０ｂ側に基部３１ａを一体に連接させている。したがって、頭部３０は、脚部３１の基部３１ａから、この脚部３１に対し直交する向きに延びるアーム状を呈している。頭部３０の一端３０ｂ側には、頭部３０を貫通し脚部３１の内部に連通するピン３２の挿通孔３０ｄが形成されている。図示の例では、脚部３１の弾性掛合部３１ｂを前記のようにリッド２の貫通孔２５に掛合させた状態からこの挿通孔３０ｄにピン３２を押し込むことで前記弾性掛合部３１ｄの撓み込みを阻止するようになっている。また、頭部３０の一面側には、前記挿通孔３０ｄを中心とする仮想の円の円弧に沿った周回壁３０ｅが形成されている。また、頭部３０の一端３０ｂ側の輪郭形状は前記挿通孔３０ｄを中心とする仮想の円の円弧に沿った形状となっている一方で、頭部３０の他端３０ｃ（アーム端）側の輪郭形状はこの他端３０ｃを頂部とした仮想の二等辺三角形の斜辺に沿ったような形状となっている。この頭部３０の他端３０ｃには小孔３０ｆが貫通状態に形成されていると共に、この小孔３０ｆと前記挿通孔３０ｄとの間には、後述のバネ４２の一方の腕部４２ａの引っかけ部３０ｇが形成されている。図示の例では、この引っかけ部３０ｇは頭部３０の一面から突き出す突出部として構成されている。
【００２２】
そして、この実施の形態にかかる動作機構は、前記リッド２への固定部４０と前記本体１の一部への当接部４１とを備えた付勢体４を備えている。図示の例では、かかる付勢体４は、一方の腕部４２ａをリッド２に固定させ、かつ、他方の腕部４２ａを当接部４１としたねじりコイルバネ４２により構成されている。
【００２３】
図示の例では、この付勢体４としてのバネ４２は、そのコイル部４２ｂの内径を前記軸構成部材３の頭部３０に形成された周回壁３０ｅの外形と略等しくしており、この周回壁３０ｅをコイル部４２ｂ内にはめ込むうようにして軸構成部材３の一面側に備えられている。また、かかる付勢体４としてのバネ４２における前記コイル部４２ｂから引き出されている一方の腕部４２ａは、前記引っかけ部３０ｇに引っかけられている。すなわち、この一方の腕部４２ａが前記付勢体４の固定部４０として機能するようになっている。図示の例では、かかる軸構成部材３がリッド２における前記バネ４２の取り付け部として機能するようになっている。
【００２４】
また、図示の例では、前記軸構成部材３の頭部３０に、前記付勢体４としてのバネ４２の他方の腕部４２ａを通すスリット３０ｈが備えられている。図示の例では、かかるスリット３０ｈは、前記立ち上がり周壁３０ａを内外に貫通すると共に、その長さ方向をこの立ち上がり周壁３０ａの連続方向に沿わせている。図示の例では、前記立ち上がり周壁３０ａにおける頭部３０の長さ方向に沿った部分であって、前記周回壁３０ｅを挟んだ両側にそれぞれ前記スリット３０ｈが形成されている。そして、前記付勢体４としてのバネ４２の他方の腕部４２ａは前記二カ所のスリット３０ｈ、３０ｈのうち、前方側に位置される一方のスリット３０ｈを通って頭部３０の外側に延び出しており、リッド２が前記第一回動位置にあるときこのスリット３０ｈの一端に前記付勢体４としてのバネ４２の他方の腕部４２ａが当接されるようになっている。（図９（ｂ））図示の例では、かかるバネ４２の他方の腕部４２ａは、前記リッド２が回動前位置あるときは、前記スリット３０ｈの他端側に位置されるようになっている。(図９（ａ））
【００２５】
図示の例では、前記付勢体４としてのバネ４２の他方の腕部４２ａに当接される本体１の一部１５は、かかる本体１の側板１３の外面に形成された突起として構成されている。図示の例では、かかる突起は、リッド２の回動中心よりも下方で、かつ、やや前方に形成されている。そして、リッド２が前記回動前位置にあるときに、前記付勢体４としてのバネ４２の他方の腕部４２ａ（前記当接部４１）がこのように構成される本体１の一部１５に上方から当接・押しつけられてこの付勢体４としてのバネ４２にリッド２を前記往動方向に回動させる付勢力が蓄えられるようになっている。（図５、図９（ａ））それと共に、この付勢体４としてのバネ４２により前記ロック手段による前記保持の解除がなされたときにリッド２が前記第一回動位置まで回動され、且つ、この第一回動位置を超えるリッド２の回動により前記付勢体４としてのバネ４２の他方の腕部と本体１の前記一部１５との前記当接が解かれるようになっている。（図７、図９（ｂ））
【００２６】
これにより、この実施の形態にあっては、リッド２が回動前位置にある状態を前記ロック手段により維持した本体１の開口１０を閉塞した状態から、このロック手段による前記保持を解除したときに、前記付勢体４によってリッド２を前記第一回動位置まで強制的に回動させることができる。かかる付勢体４の当接部４１と本体１の一部１５との当接は前記第一回動位置を超えるリッド２の回動により解かれることから、第一に外力を作用させない限りこの第一回動位置にリッド２がある状態は維持され、第二にこの第一回動位置を超えるリッド２の往動には付勢体４は何らの関与もしない。すなわち、この実施の形態にあっては、前記のようにリッド２が前記第一回動位置にあるときこのスリット３０ｈの一端に前記付勢体４としてのバネ４２の他方の腕部４２ａが当接され、この第一回動位置を超えてリッド２が往動されても、この付勢体４としてのバネ４２の一方の腕部４２ａと他方の腕部４２ａとの間の距離が変わらないようにしてある。これにより、第一回動位置を超えてリッド２が往動されると、これに伴って前記付勢体４としてのバネ４２の他方の腕部４２ａも上方に移動され、（図７、図９（ｂ））かかる他方の腕部４２ａ（前記当接部４１）は本体１の一部１５から離れる。前記第一回動位置を超えて往動されたリッド２を復動させると、この第一回動位置において前記付勢体４としてのバネ４２の他方の腕部４２ａが再び本体１の一部１５に上方から突き当たり、リッド２をこの第一回動位置から回動前位置まで復動する過程でこの付勢体４としてのバネ４２の一方の腕部４２ａと他方の腕部４２ａとの間の距離が狭まってかかる他方の腕部４２ａはスリット３０ｈの一端から離れると共にこの付勢体４としてのバネ４２に前記付勢力が蓄えられる。
【００２７】
図１〜図９に示される例にあっては、動作機構はさらに、本体１の左右においてそれぞれ、ねじりコイルバネ５を備えている。すなわち、図１〜図９に示される例では、本体１の左側の側板１３とリッド２の張り出し部２４ｂの左端とが、軸構成部材３と付勢体４としてのバネ４２とかかるねじりコイルバネ５とによって連係され、かつ、本体１の右側の側板１３とリッド２の張り出し部２４ｂの右端とが、軸構成部材３と付勢体４としてのバネ４２とかかるねじりコイルバネ５とによって連係されており、本体１の左右においてそれぞれ動作機構が適用されている。
【００２８】
かかるねじりコイルバネ５は、一方の腕部５０をリッド２に枢支させ、他方の腕部５０を本体１に枢支させ、かつ、コイル部５１を両者から自由としている。それと共に、かかるねじりコイルバネ５は、リッド２が前記第一回動位置にあるときはこのリッド２を回動前位置に復動させる向きの付勢力をこのリッド２に作用させ、かつ、リッド２が前記第一回動位置を超える所定の第二回動位置（図８の位置）に達したときはこのリッド２を往動させる向きの付勢力をこのリッド２に作用させるように備えられている。
【００２９】
図示の例では、かかるねじりコイルバネ５の一方の腕部５０の末端は、軸構成部材３の頭部３０における小孔３０ｆに差し込まれている。また、かかるねじりコイルバネ５の他方の腕部５０の末端は、本体１の側板１３におけるリッド２の回動中心の下方に形成された小孔１６に差し込まれている。そして、リッド２が回動前位置にある状態からリッド２が往動されるとかかるねじりコイルバネ５の一方の腕部５０の枢支位置と他方の腕部５０の枢支位置との間の距離が狭まるようになっている。また、かかるねじりコイルバネ５はリッド２の往動と共にそのコイル部５１を移動させ、これにより、前記第一回動位置と第二回動位置との間のリッド２の所定の中間回動位置（図７の位置）においてかかるねじりコイルバネ５の一方の腕部５０の枢支位置と他方の腕部５０の枢支位置との間の距離が最も狭まり、両者の距離は第二回動位置においてはこれよりも広がるようになっている。（図８）すなわち、かかるねじりコイルバネ５はいわゆるターンオーバースプリングとして機能するようになっている。
【００３０】
それと共に、この図１〜図９に示される例では、（１）前記第一回動位置において、かかるねじりコイルバネ５及びリッド２の自重により生じるリッド２を復動させる力と、付勢体４より生じるリッド２を往動させる力とが均衡し、（２）かつ、前記第二回動位置において、かかるねじりコイルバネ５より生じるリッド２を往動させる力と、リッド２の自重より生じるリッド２を復動させる力とが均衡するようになっている。
【００３１】
これにより、この図１〜図９に示される例では、付勢体４とかかるねじりコイルバネ５の付勢力の設定調整によって、回動前位置から第一回動位置まで往動させたリッド２をこの第一回動位置で静止させることができると共に、この第一回動位置で静止状態にあるリッド２に外力を作用させてリッド２を第二回動位置まで往動させることができ、さらに、この第二回動位置まで往動されたリッド２をこの第二回動位置においても静止させることができる。
【００３２】
図１０〜図１２に示される例は、前記ねじりコイルバネ５に代えて、前記本体１に、リッド２が第一回動位置を超える所定の第二回動位置に達したときに、リッド２の被掛合部に掛合される掛合部６を形成させることで、リッド２を第一回動位置及び第二回動位置において前記のように静止させるようにしている。この場合さらに、かかる本体１に、リッド２の被掛合部に対し、リッド２が第一回動位置と第二回動位置との間の中間回動位置にあるときに掛合される追加掛合部（図示は省略する。）を形成させるようにすれば、リッド２をかかる中間回動位置においてもリッド２を静止させることが可能となる。かかる追加掛合部をリッド２の回動中心を中心とした仮想の円の円弧に沿って位置を異ならせて二カ所以上設ければ、前記第一回動位置と第二回動位置との間における複数のポジションにおいてリッド２を前記のように静止させることができる。図示の例では、リッド２の回動によって移動される軸構成部材３の前記頭部３０の他端３０ｃ（アーム端）が、第二回動位置において納まる凹所６０を備えた板バネ材６１が本体１の側板１３の外面に備えられている。図示の例では、かかる頭部３０の他端３０ｃ（アーム端）は、リッド２の回動に伴って前記板バネ材６１を弾性変形させながら前記凹所６０に入り込み、かかる他端３０ｃ（アーム端）と前記部材とが掛合されるようになっている。すなわち、図示の例では、かかる頭部３０の他端３０ｃ（アーム端）が前記被掛合部として、かかる板バネ材６１の凹所６０が前記掛合部６として、機能するようになっている。
【符号の説明】
【００３３】
１  本体
１５  一部
２  リッド
４  付勢体
４１  当接部
【図１】
2013189774.tif 000003
【図２】
2013189774.tif 000004
【図３】
2013189774.tif 000005
【図４】
2013189774.tif 000006
【図５】
2013189774.tif 000007
【図６】
2013189774.tif 000008
【図７】
2013189774.tif 000009
【図８】
2013189774.tif 000010
【図９】
2013189774.tif 000011
【図１０】
2013189774.tif 000012
【図１１】
2013189774.tif 000013
【図１２】
2013189774.tif 000014